(57)【要約】【課題】迅速な収納または組立を行なうことができる遊戯用ハウスを提供する。【解決手段】本体１、複数の付属体２および少なくとも一つの取り付け構造を備える。本体１上には所定の面積の底面１１が区画され、被覆部１２が底面１１上に設置される。各付属体２は、外表面２１と所定の面積の本体に対する貼合面２２とから構成される。各取り付け構造は、第１の取り付け部３および第２の取り付け部４とからなり、第２の取り付け部４は着脱可能な構造で第１の取り付け部３と接続される。第１の取り付け部３または第２の取り付け部４の一方が本体１上に設置され、他方が付属体２上に設置される。第２の取り付け部４と第１の取り付け部３とを相互に取り付けし、付属体２を遊戯用ハウス上に接合することによって、遊戯用ハウスは動物、果物、生活用品または乗り物などの立体形状を有することができる。【選択図】図２
2008168127.tif 000002
【特許請求の範囲】
【請求項１】
本体、付属体及び付属体取り付け構造からなり、
前記本体は、底面を床面として、該床面上方を覆う被覆部によりハウス状立体構造を形成し、
前記付属体は、外表面が該本体に接する所定の面積の貼合面を被覆して形成され、
前記付属体取り付け構造は、第１の取り付け部および第２の取り付け部からなり、該第２の取り付け部は取り外し可能に前記第１の取り付け部と接続され、該第１の取り付け部または第２の取り付け部の一方が本体上に設置され、他方が前記付属体上に設置されることを特徴とする遊戯用ハウス。
【請求項２】
前記第１の取り付け部は、掛合リングおよび第１の取り付け帯を備え、該第１の取り付け帯は掛合リングに巻設されて前記本体上に固定され、
前記第２の取り付け部は、クリップおよび第２の取り付け帯を備え、該第２の取り付け帯は前記クリップに巻設されて前記付属体上に固定され、
前記第２の取り付け部のクリップに前記第１の取り付け部の掛合リングがクリップされることによって前記付属体は前記本体上に固定され、前記クリップは更に前端に位置する開口部および後端に位置する孔部を備え、前記開口部は略嘴形状を呈し、前記第２の取り付け帯は前記クリップの孔部に巻設されることを特徴とする請求項１記載の遊戯用ハウス。
【請求項３】
前記取り付け構造は、それぞれ極性が反対の二つの磁性体、ファスナー、面ファスナーまたはクリップであることを特徴とする請求項１記載の遊戯用ハウス。
【請求項４】
前記本体は、更に、少なくとも二つの弧形曲面、少なくとも一つの交差端および二つの支持端を有し、前記二つの支持端は前記底面の外縁周囲とそれぞれ接触する一つの金属線を湾曲した８の字構造によって構成されるフレームを具えることを特徴とする請求項１記載の遊戯用ハウス。
【請求項５】
前記付属体には、少なくとも一つの切り欠き部が設けられ、各切り欠き部は二つの溝辺および二つの溝辺が交差する溝端を有し、前記二つの溝辺は縫合、熱合、圧合または貼合によって相互に接合されて付属体を立体に形成し、前記付属体の外表面には所定の図案が設けられることを特徴とする請求項１記載の遊戯用ハウス。
【請求項６】
前記付属体は、更に、所定の配列がされた若干のフレーム体を備えて付属体を支持して立体に形成し、前記付属体の外表面には所定の図案が設けられることを特徴とする請求項１記載の遊戯用ハウス。
【請求項７】
前記付属体内には、充填体が設けられ、前記充填体はスポンジシート材質、織布材質、布材質または気体であり、前記充填体は付属体を支持して立体にし、前記付属体の外表面には所定の図案が設けられることを特徴とする請求項１記載の遊戯用ハウス。
【発明の詳細な説明】
【技術分野】
【０００１】
本発明は、幼児、児童がその中に入って遊ぶ遊戯用ハウスの構造に関し、特に、遊戯用ハウスに取り付けられて遊戯用ハウスに立体形状を形成する付属体の構造に関する。
【背景技術】
【０００２】
一般に遊戯用ハウスは幼児用玩具または児童用家庭用品に属する。遊戯用ハウスは、全世界に普及しており、その構造およびデザインには様々なものがあり、比較的廉価で、収納に便利であるので、好評を得ている玩具の一つとなっている。遊戯用ハウスは、硬質ケーシング式、空気充填式、テント式、スプリング式およびパイプ式に分類される。現在市場に見られる遊戯ハウスは下記の欠点を有する。
【０００３】
１．材質の性能に劣る：ナイロンシートは薄いので破裂しやすく、鉄材質のフレームは錆やすい。国によっては安全上の考慮から鉄材質のフレームにプラスチック層を被覆することが要求されている。また、鉄材質のフレームは強度が不足すると認識する使用者が多い。
２．製品の寿命が短い：遊戯用ハウスの市場は競争が激しいのでコストを低減させるために安価な材料が使用されている。それによって材質の性能が劣り、使用寿命が短く、一旦破損すると使用されなくなり、再び購入されることはない。
３．形状の選択性に劣る：材料に制限があるので、様々な構造の遊戯用ハウスを生産することが難しく、各メーカーは外装の印刷を変えることによってデザインに変化を与えている。調査によると、動物の形状の遊戯用ハウスは市場において特に不足している。
【０００４】
各業者は、遊戯用ハウスによって使用者に快適な睡眠環境を提供する以外に、その他の機能において消費者の要求を満足させることを追及しており、遊戯用ハウスの使用率および市場占拠率を高めることを目標としている。
【特許文献１】実用新案登録第３１１９３３０号公報
【特許文献２】実用新案登録第３０１９２２２号公報
【発明の開示】
【発明が解決しようとする課題】
【０００５】
本発明の第１の目的は、遊戯用ハウスおよび付属体に相互に取り付けおよび分離ができる取り付け部がそれぞれ設けられ、それによって迅速な収納または組立を行なうことができる遊戯用ハウスを提供することにある。
本発明の第２の目的は、付属体には充填体が設けられ、付属体を遊戯用ハウスに接合したとき立体形状を形成することができる遊戯用ハウスを提供することにある。
本発明の第３の目的は、遊戯用ハウス内に若干の湾曲可能なフレーム部が設けられ、遊戯用ハウスを支持して収容空間を形成するだけでなく、遊戯用ハウスの収納および展開を容易に行なうことができる遊戯用ハウスを提供することにある。
【課題を解決するための手段】
【０００６】
上述の課題を解決するために、本発明は遊戯用ハウスを提供するものであり、本体、複数の付属体および少なくとも一つの取り付け構造を備える。本体上には所定の面積の底面が区画され、被覆部が底面上に設置される。各付属体は外表面と所定の面積の貼合面とからなる。各取り付け構造は、第１の取り付け部および第２の取り付け部とからなり、第２の取り付け部は取り外し可能な方式で第１の取り付け部と接合される。第１の取り付け部または第２の取り付け部の一方が本体上に設置され、他方が付属体上に設置される。第２の取り付け部と第１の取り付け部とを相互に取り付けし、付属体を遊戯用ハウス上に接合することによって、遊戯用ハウスは動物、果物、生活用品または乗り物などの立体形状を有することができる。
【発明の効果】
【０００７】
第１の取り付け部または第２の取り付け部の一方が本体上に設置され、他方が付属体上に設置され、第２の取り付け部と第１の取り付け部とを相互に接続し、付属体を遊戯用ハウス上に接合することによって、遊戯用ハウスは動物、果物、生活用品または乗り物などの立体形状を形成することができる。第１の取り付け部と第２の取り付け部との取り付けおよび分離は容易に行なうことができるので、それによって遊戯用ハウスの迅速な収納または組立を行なうことができる。また、遊戯用ハウス内に数個の湾曲可能なフレーム部が設けられ、遊戯用ハウスを支持して収容空間を形成し、また、遊戯用ハウスの収納および展開を容易に行なうことができる。
【発明を実施するための最良の形態】
【０００８】
本発明の目的、特徴および効果を示す実施例を図に沿って詳細に説明する。
【０００９】
図１は、本発明の遊戯用ハウスの第１の実施例を示す斜視図である。遊戯用ハウスは、遊戯用ハウス本体１および若干の付属体２を備える。本体１はスポンジシート、織布または不織布などにより一体に形成され、本実施例において、本体１は児童用遊戯ハウスまたは児童用テントなどが好ましい。
【００１０】
図２は、本発明の遊戯用ハウスの第２の実施例を示す斜視分解図である。図３は、本発明の遊戯用ハウスの第２の実施例を示す斜視図である。遊戯用ハウスは、遊戯用ハウス本体１、若干の第１の取り付け部３、若干の付属体２および若干の第２の取り付け部４を備える。本体１には所定の面積の底面１１が区画され、被覆部１２が底面１１を覆って設けられる。被覆部１２の両側面１３には第１の曲面がそれぞれ形成され、少なくとも一つの最高点１４を有し、底面１１から高さｈを形成する。本実施例において、第１の取り付け部３は被覆部１２上に設けられ、第２の取り付け部４は付属体２上に設けられる。第２の取り付け部４と第１の取り付け部３とがお互いに接続されて付属体２は遊戯用ハウス本体１上に接合される。第１の取り付け部３と第２の取り付け部４とを取り付けしたり、分離したりすることによって付属体２を本体１に迅速に組立てたり、収納したりすることができる。
【００１１】
本実施例において、遊戯用ハウスは更に所定の配列がされた若干のフレーム部５を備える。各フレーム部５は、それぞれ少なくとも二つの弧形曲面５１、少なくとも一つの交差端５２および二つの支持端５３を有する。フレーム部５は、直接被覆部１２内に設置されて、両支持端５３は被覆部の底面１１の周縁とそれぞれ接触し、フレーム部５の弾力によって被覆部１２を底面１１から支持し、交差端５２は被覆部１２の最高点１４を支持する。このようにして本体１の被覆部１２によって底面１１上に空間が形成され、児童が遊ぶ空間が形成される。各フレーム部５の弧形曲面５１、交差端５２および支持端５３は一つの金属線を湾曲させて８の字構造にすることによって形成される。当然、フレーム部５を被覆部１２の外表面または内表面に位置させ、定位部材（図示せず）によって交差端５２を被覆部１２の最高点１４上に接合することもできる。
【００１２】
以下に示す本発明のその他の実施例において、大部分の部材は前述の実施例と同一または類似するので、同一の部材については同一の名称および符号を使用し、類似する部材については同一の名称を使用し、符号は本来の符号にアルファベットを加えて説明する。
【００１３】
図４は、本発明の遊戯用ハウスの第３の実施例を示す斜視分解図である。図５は本発明の遊戯用ハウスの第３の実施例を示す斜視図である。本実施例において、付属体２にはクリップ構造の取り付け部６が設けられる。取り付け部６は開口６１を有する。取り付け部６の両側に力を加えることにより、開口６１の大きさを変えてフレーム部５を通過させることができる。フレーム部５を通過させた後、取り付け部６の弾力によって本来の形状に復元され、取り付け部６とフレーム部５とが取り付けされる。本実施例においては取り付け部６がクリップ構造によってフレーム部５と取り付けされる。当然、他の実施例において、取り付け部６はその他の構造でもよく、遊戯用ハウス本体１のその他の部位に挟持する構造でもよい。
【００１４】
図６は、本発明の付属体の第４の実施例を示す斜視図である。本実施例において、各付属体２にはそれぞれ外表面２１が被覆された所定の面積の貼合面２２が設けられ、貼合面２２と本体１とは貼合され、縫合、粘着またはその他の方式によって一体に取り付けされる。付属体２は、スポンジシートシート、織布または不織布などにより一体に形成し、付属体２内には充填体２３が充填され、外表面２１を貼合面２２から突出させて立体形状が形成される。充填体２３は、スポンジシート材質、織布材質または布材質などから製造される。当然、ビニールの袋構造（図示せず）として空気を充填することもできる。付属体２上には印刷、刺繍、貼合、縫合またはその他の方式によって、眼、鼻、脚および尻尾などの図案２４を設けて、付属体２を本体１の所定の位置に接合した後、立体形状の動物、果物、生活用品または乗り物などを構成することができる。
【００１５】
図７は、本発明の付属体の第５の実施例の製造前の状態を示す平面図である。図８は本発明の付属体の第５の実施例の製造後の状態を示す斜視図である。本実施例において、各付属体２ａには切り欠き部２５がそれぞれ設けられる。切り欠き部２５は二つの溝辺２６および二つの溝辺２６が交わる溝端２７を有する。二つの溝辺２６は縫合、熱着、圧着または貼合によって取り付けされ、付属体２ａに立体の第２の曲面が形成される。当然、付属体２ａ上には印刷、縫合、粘着またはその他の方式によって図案２４ａを設けることができる。
【００１６】
図９は、本発明の付属体の第６の実施例を示す斜視図である。本実施例において、各付属体２ｂにはスポンジシート材質を加熱プレスして形成された第２の曲面が形成され、その形状は半円形または半楕円形が好ましく、当然、必要に応じて異なる形状にする。付属体２ｂには印刷、刺繍、貼合、縫合またはその他の方式によって図案２４ｂを設けることができる。
【００１７】
図１０は、本発明の付属体の第７の実施例を示す平面図である。本実施例において、各付属体２ｃは製造に便利なように、平面形状であり、印刷、貼合または縫製によって所定の図案２４ｃが設けられる。
【００１８】
図１１は、本発明の付属体の第８の実施例を示す斜視図である。本実施例において、各付属体２ｄは更に所定の配列がされた若干のフレーム体２８を備える。若干のフレーム体２８によって付属体２ｄに立体の第２の曲面が形成される。付属体２ｄ上には印刷、刺繍、貼合、縫合またはその他の方式によって図案２４ｄが設けられる。
【００１９】
図１２から１６は、本発明の第１の取り付け部および第２の取り付け部の実施例を示す斜視図である。
【００２０】
図１２に示すように、第１の取り付け部３ａおよび第２の取り付け部４ａはそれぞれ磁性体であり、両者の極性は反対である。従って、第１の取り付け部３ａと第２の取り付け部４ａとを接近させたとき、磁力によってお互いに引き寄せられ、付属体２は本体１と接合される。
【００２１】
図１３に示すように、第１の取り付け部３ｂおよび第２の取り付け部４ｂはファスナーとすることができる。
【００２２】
図１４に示すように、第１の取り付け部３ｃおよび第２の取り付け部４ｃは面ファスナーとすることができる。
【００２３】
図１５に示すように、第１の取り付け部３ｄおよび第２の取り付け部４ｄはトグルによる掛合構造とすることができる。
【００２４】
図１６に示すように、第１の取り付け部３ｅおよび第２の取り付け部４ｅはスナップボタンによる嵌合構造とすることができる。
【００２５】
当然、第１の取り付け部３および第２の取り付け部４は、その他のボタン構造、クリップ構造または掛合構造とすることができる。
【００２６】
図１７は、本発明の第１の取り付け部および第２の取り付け部の他の実施例を示す斜視分解図である。図１８は、本発明の第１の取り付け部および第２の取り付け部の他の実施例を示す斜視図である。図１９は、第１の取り付け部および第２の取り付け部を掛合した状態を示す拡大図である。
【００２７】
図１７、１８、１９に示すように、各第１の取り付け部３ｆはそれぞれ掛合リング３１および取り付け帯３２から構成される。本実施例において、取り付け帯３２は例えば不織布またはナイロン布などの可撓性を有する材料から構成され、先ず掛合リング３１に巻設され、その後本体１ｆの所定の位置に縫合され、掛合リング３１は本体１ｆ上の所定の位置に固定される。各第２の取り付け部４ｆは、それぞれクリップ４１および取り付け帯４２から構成される。本実施例において、クリップ４１はプラスチックまたはゴムなどの若干の可撓性を有する硬質材料から製造され、前端に位置する開口部４１１および後端に位置する孔部４１２を備える。開口部４１１は略嘴形状をしており、前端には外部に拡張した開口を有し、その大きさは掛合リング３１の厚さより大きい。開口部４１１の中段は最も狭く、掛合リング３１の厚さよりも狭く、開口部４１１後段の開口の大きさは掛合リング３１よりもやや大きい。それによって掛合リング３１を容易に開口部４１１前端の開口から後段の開口部分に押入れた後、狭い中段の開口によって支持されて開口部４１１から容易に外れることがない。取り付け帯４２は不織布またはナイロン布などの可撓性を有する材料から構成され、先ずクリップ４１の孔部４１２に巻設され、その後付属体２ｆ上の所定の位置に縫合される。従って、第２の取り付け部４ｆのクリップ４１に第１の取り付け部３ｆの掛合リング３１が掛合されることによって、付属体２ｆは本体１ｆの所定の位置上に定位される。付属体２ｆを取り外すとき、掛合リング３１をクリップ４１の開口部４１１から取り外すだけで付属体２ｆと本体１ｆとを簡単に分離させることができる。
【００２８】
本発明において、第１の取り付け部３ｆおよび第２の取り付け部４ｆの設置位置は置換させることができ、両者によって取り付け構造が構成され、付属体２ｆが本体１ｆの所定の位置に接合され、遊戯用ハウスに動物などの立体構造が形成される。また、本体１ｆの被覆部の一側にはファスナーによる出入口１９を設けることができ、使用者（例えば児童）がそこから本体１ｆ内部に出入りすることができる。
【００２９】
本発明の遊戯用ハウスは少なくとも下記の長所を有する。
【００３０】
１．収納に便利である：布およびフレームから構成され、フレームは布に被覆される。フレームの弾性によって布を迅速に広げることができ、収納時はフレームを捻るだけで遊戯用ハウスを簡単に折り畳むことができる。
２．デザイン性に富む：特殊なアーチ型の立体構造であり、遊戯用ハウスを本物の動物に類似した形状にすることができ、様々な動物の形状を構成することができる。
３．ストーリー性に富む：子供の遊戯用に使用するだけでなく、これらの動物を題材にストーリーを展開し、親子関係を更に親密にし、児童の生活に安心感を与えることができる。また、生活常識を学習させることができ、遊戯施設を提供できるだけでなく、生活上の常識を体験させながら学習させることができる。
４．躾を教育することができる：玩具を遊戯用ハウスに収納させて片付けを習慣づけることができ、躾の教育に有用である。
５．素材が柔らかく心地よい：質感の高い布が使用され、心地よく使用でき、長方形の底面に横になって寝ることができる。内部に毛布または防湿シートを敷設し、玩具を準備すれば赤ちゃんは一定時間遊んで泣き叫ぶことがない。また、蚊帳としても使用できる。また、赤ちゃんを遊戯用ハウス内で遊ばせ、ネットを閉めれば外から中の様子を観察することができる。
【図面の簡単な説明】
【００３１】
【図１】本発明の遊戯用ハウスの第１の実施例を示す斜視図である。
【図２】本発明の遊戯用ハウスの第２の実施例を示す斜視分解図である。
【図３】本発明の遊戯用ハウスの第２の実施例を示す斜視図である。
【図４】本発明の遊戯用ハウスの第３の実施例を示す斜視分解図である。
【図５】本発明の遊戯用ハウスの第３の実施例を示す斜視図である。
【図６】本発明の付属体の第４の実施例を示す斜視図である。
【図７】本発明の付属体の第５の実施例の製造前の状態を示す平面図である。
【図８】本発明の付属体の第５の実施例の製造後の状態を示す斜視図である。
【図９】本発明の付属体の第６の実施例を示す斜視図である。
【図１０】本発明の付属体の第７の実施例を示す平面図である。
【図１１】本発明の付属体の第８の実施例を示す斜視図である。
【図１２】本発明の第１の取り付け部および第２の取り付け部の実施例を示す斜視図である。
【図１３】本発明の第１の取り付け部および第２の取り付け部の実施例を示す斜視図である。
【図１４】本発明の第１の取り付け部および第２の取り付け部の実施例を示す斜視図である。
【図１５】本発明の第１の取り付け部および第２の取り付け部の実施例を示す斜視図である。
【図１６】本発明の第１の取り付け部および第２の取り付け部の実施例を示す斜視図である。
【図１７】本発明の第１の取り付け部および第２の取り付け部の他の実施例を示す斜視分解図である。
【図１８】本発明の第１の取り付け部および第２の取り付け部の他の実施例を示す斜視図である。
【図１９】本発明の第１の取り付け部および第２の取り付け部の他の実施例の掛合した状態を示す拡大図である。
【符号の説明】
【００３２】
１、１ｆ  遊戯用ハウス本体
１１  底面
１２  被覆部
１３  側面
１４  最高点
１９  出入口
２、２ａ、２ｂ、２ｃ、２ｄ、２ｆ  付属体
２１  外表面
２２  貼合面
２３  充填体
２４、２４ａ、２４ｂ、２４ｃ、２４ｄ  図案
２５  切り欠き部
２６  溝辺
２７  溝端
２８  フレーム体
３、３ａ、３ｂ、３ｃ、３ｄ、３ｅ、３ｆ  第１の取り付け部
３１  掛合リング
３２  取り付け帯
４、４ａ、４ｂ、４ｃ、４ｄ、４ｅ、４ｆ  第２の取り付け部
４１  クリップ
４２  取り付け帯
４１１開口部
４１２孔部
５    フレーム部
５１  弧形曲面
５２  交差端
５３  支持端
６    取り付け部
６１  開口
ｈ    高さ
【図１】
2008168127.tif 000003
【図２】
2008168127.tif 000004
【図３】
2008168127.tif 000005
【図４】
2008168127.tif 000006
【図５】
2008168127.tif 000007
【図６】
2008168127.tif 000008
【図７】
2008168127.tif 000009
【図８】
2008168127.tif 000010
【図９】
2008168127.tif 000011
【図１０】
2008168127.tif 000012
【図１１】
2008168127.tif 000013
【図１２】
2008168127.tif 000014
【図１３】
2008168127.tif 000015
【図１４】
2008168127.tif 000016
【図１５】
2008168127.tif 000017
【図１６】
2008168127.tif 000018
【図１７】
2008168127.tif 000019
【図１８】
2008168127.tif 000020
【図１９】
2008168127.tif 000021